(57)【要約】    【課題】  グリップに軟質部材を用いることで、把持によるグリップの僅かな弾性変形が把持のしやすさに寄与している。しかしながら、弾性変形しやすいが故に、固定部の緩み、軸体に対する空回りなどの不具合をきたすことがある。  更に、軸体を形成する部材を相対的に回転することで、グリップが長手軸を中心にねじれ変形し、その変形を維持する手段を設けた軸体においては、特に回転変形時に、固定部でのグリップの変形、空回りなどの不具合をきたすことがある。    【構成】  軟質部材よりなる中空部を有するグリップを装着した軸体において、前記グリップの長さを軸体の装着部の長さよりも短く形成した軸体。【選択図】  図２
2005335340.tif 000002
【特許請求の範囲】
【請求項１】
軟質部材よりなる中空部を有するグリップを装着した軸体において、前記グリップの長さを軸体の装着部の長さよりも短く形成したことを特徴とする軸体。
【請求項２】
前記グリップの端部近傍を軸体の装着部に伸張した状態で固定したことを特徴とする請求項１記載の軸体
【請求項３】
前記グリップの前方あるいは後方の少なくとも一方に、１個以上の穴または突起を形成し、その穴または突起に係合する突起または穴を前記軸体に形成し、それら各々を係合したことを特徴とする請求項１、或いは、請求項２に記載の軸体。
【請求項４】
前記中空部を有するグリップの前方及び後方の内側から、長手軸と略平行方向に伸びた独立穴を１個以上形成し、その独立穴に係合する突起を軸体に形成し、それら各々を係合したことを特徴とする請求項１〜請求項３の何れかに記載の軸体。
【請求項５】
前記中空部を有するグリップの前方あるいは後方の少なくとも一方の側面から、長手軸と直交する方向に伸びた穴を少なくとも１個以上形成し、その穴に係合する突起を軸体に形成し、それら各々を係合したことを特徴とする請求項１〜請求項５の何れかに記載の軸体。
【請求項６】
前記軸体を少なくとも２個の部品から構成すると共に、その個々の部品に前記グリップの各々の端部を固定すると共に、そのグリップが固定された２個の部品を相対的に回転可能とし、又、その相対的な回転を維持する手段を設けたことを特徴とする請求項１〜請求項５の何れかに記載の軸体。
【発明の詳細な説明】
【技術分野】
【０００１】
本発明は、軟質部材よりなる中空部を有するグリップを装着した軸体に関し、特に、軸体を形成する複数の部材をグリップの両端（あるいはその近傍）に固定する手段を設け、前記軸体を形成する部材の相対的回転により、前記グリップが長手軸を中心にねじり回転変形すると共に、その変形形状を維持させる手段を設けた軸体に関する。
【背景技術】
【０００２】
従来、筆記具等において、軟質部材よりなるグリップ部を有する軸体は数多く知られている。把持部分の硬度、表面状態、形状等により、把持のし易さについての追求がなされている。
しがしながら一般的に軟質部材よりなる把持部分は軸体に固定されており、把持する手の大きさ、好み等、把持する側のバラツキを吸収するには、軸体に固定された把持部の場合、限界があった。
一方、把持部分を長手方向に移動可能なものや軸体を回転させることで、把持部分を部分的に伸張させるものなども知られている。
【特許文献１】特開２０００−３１３１９３号。
【発明の開示】
【発明が解決しようとする課題】
【０００３】
グリップに軟質部材を用いることで、把持によるグリップの僅かな弾性変形が把持のしやすさに寄与している。しかしながら、弾性変形しやすいが故に、固定部の緩み、軸体に対する空回りなどの不具合をきたすことがある。
又、軸体を形成する部材を相対的に回転することで、グリップが長手軸を中心にねじれ変形し、その変形を維持する手段を設けた軸体においては、特に回転変形時に、固定部でのグリップの変形、空回りなどの不具合をきたすことがある。
更に、グリップが回転変形している状態で更にグリップを回転変形させようとすると、グリップが空回りするなどの不具合をきたすことがある。
そこで本発明は、軟質部材よりなるグリップを装着した軸体において、グリップ両端（あるいはその近傍）と軸体との固定をより強固にし、軟質部材なるが故の、グリップの軸体からの緩みあるいは空回り等の不具合を極力防ぐことを目的とし、特に、グリップが長手軸を中心にねじり回転変形し、その変形を維持する手段を設けた軸体においては、その回転変形時に、そのグリップの変形や空回り等の不具合を極力防止することを目的としている。
【課題を解決するための手段】
【０００４】
本発明は、軟質部材よりなる中空部を有するグリップを装着した軸体において、前記グリップの長さを軸体の装着部の長さよりも短く形成したことを要旨とする。
【発明の効果】
【０００５】
本発明は、軟質部材よりなる中空部を有するグリップを装着した軸体において、前記グリップの長さを軸体の装着部の長さよりも短く形成しので、グリップの軸体からの緩みあるいは空回りなどの不具合が極力防止される。
又、特に、グリップが長手軸を中心にねじり回転変形し、その変形を維持する手段を設けた軸体においては、回転変形時にグリップの変形や空回りなどの不具合が極力防止される。
更に、グリップが回転変形している状態で更にグリップを回転変形させようとした場合においても、グリップの空回り等が極力防止される。
【発明を実施するための最良の形態】
【０００６】
図１〜４に発明を実施するための最良の形態について説明する。
軸筒Ａは、後方軸筒１と中方軸筒６、前方軸筒５より形成され、後方軸筒１と中方軸筒６とはグリップ後方部を介して回転不能に、長手方向に脱落不能に結合されている。又、中方軸筒６と前方軸筒５とは、相対的に長手軸を回転軸として、回転可能ではあるが長手方向には移動不能に配置されている。
前方軸筒５の前方には長手方向に延設され、且つ、断面が略部分円弧状の突起５ａが複数等間隔に形成されており、後述するグリップ２の前方内方に形成された、断面が前記突起５ａとほぼ同形状の穴２ａにそれぞれ挿入されている。又、グリップ２の前方部は前方軸筒５に形成された円周段状の前方係止面５ｂと先部材３の係止面３ａで挟着されている。此によって、グリップ２の前方は、前記前方軸筒５に対して回転不能で、且つ、長手方向に脱落不能に結合されてる。
【０００７】
又、前方軸筒５の前端には、グリップ２の前方部を介して先部材３が螺着などの手段によって着脱自在に取り付けられているが、此に限定されることなく、例えば、凹凸嵌合などによる圧入構造であっても良い。
前記中方軸筒６の後方には、長手軸方向に延設され、且つ、断面が略部分円弧状の突起６ａが複数等間隔に形成されており、グリップ２の後部内面に形成された断面が前記突起６ａとほぼ同形状の穴２ｂにそれぞれ挿入されている。
又、グリップ２の後方は中方軸筒６に形成された円周段状の後方係止面６ｃと後方軸筒１の前端面１ａの間に挟着されている。此によって、グリップ２の後方も、中方軸筒６（及び後方軸筒１）に対して回転不能で、且つ、長手方向に脱落不能に結合されてる。
【０００８】
前記グリップ２は長手方向に伸長された状態で係合している。具体的に説明すると、前方軸筒５の突起５ａの前端面部から内方軸筒６の突起６ａの後端面部までの長さＭは、その突起に係合するグリップ２の前方穴２ａｋら後方穴２ｂまでの長さＮよりも長く形成されている。つまり、グリップ２を軸体Ａに組み付けた状態においては、グリップ２の長手寸法（Ｌ’）は組み付け前の長手寸法（Ｌ）よりも伸張された状態で長くなっている。
本実施例では、グリップ２の前方と前方軸筒５の突起５ａの近傍、及び、グリップ２の後方と中方軸筒６の突起６ａの近傍は、部分的に軸径方向にもグリップが伸長された状態で組み付けられている。
【０００９】
前方軸筒５の後方外面には縮径部が形成されており、その縮径部の長手方向には断面が円弧状の突起５ｃが複数形成されている。又、中方軸筒６の前方内周面には断面が円弧状の溝６ｃが長手方向に複数形成されており、前記前方軸筒５の突起５ｃと係脱可能になっている。具体的に説明する。前方軸筒５と中方軸筒６の相対的回転により、突起５ｃが溝６ｃを乗り越えながら回転するとともに、回転により変形されたグリップ２の元に戻る弾力に打ち勝って突起５ｃと溝６ｃが係合する。此により、グリップ２の回転変形形状を維持することができる。この時、前記グリップ２の前方内方の穴２ａと前方軸筒５の突起５ｂによる係合と、グリップ２の後方と中方軸筒６と後方軸筒１の結合が故に、グリップ両端が回転変形を解除する力に抗して、前記の回転変形形状を維持することができる。
又、前記の係合に加え、グリップ２は不回転変形状態でも、伸長した状態で軸体に係合しているため、グリップ２単体での空回りを極力防ぐことができる。尚、不回転変形状態で先部材３を外した場合でも、グリップ２が縮もうとする応力が発生しているため、グリップ２の前方の穴２ａと前方軸筒５の突起５ａとの係合状態を維持でき、その結果、グリップ２前方での空回りを極力防ぐことができる。図４は図１におけるＡ−Ａ線断面矢視図であるが、グリップ２の後方部分の断面（係合状態）もほぼ同様である。
更に、前方軸筒５の複数の突起５ｃの後方に設けた回転規制部と、中方軸筒６内方の複数の溝６ｃの後方に設けた回転規制部（図示せず）により、一定の回転角以上の回転を阻止するごとができ、此によって、グリップ２の著しい回転変形によるグリップ２の破損などが回避できる。
【００１０】
図６に本発明の変形例を挙げ説明する。グリップ２の後方の後方軸筒１に覆われる縮径部２ｅの側面には、長手軸に略直交する複数の穴２ｂを形成する一方、中方軸筒６の後方には突起６ａが形成されている。そして、中方軸筒６はグリップ２の穴２ｂに係合した状態で、前記後方後軸１とは回転不能で、且つ、長手方向に脱落不能に結合されている。上記以外の構成は、前例と同様なので、その説明を省略する。
【００１１】
以上の例において、グリップ２の前方内方、或いは後方内方に形成した複数の穴２ａ、２ｂは、前方、或いは後方側に閉じているが、成型性を考慮し、貫通した状態で成形しても良い。
又、図示はしないが、前方軸筒と中方軸筒を一体に形成させ、両者を相対的に回転させない、つまり、グリップを回転変形させない軸体のグリップの固定方法に、本発明を採用することができる。
符号７は、弾撥部材１０によって後方に付勢されたボールペンやシャープペンシルなどの筆記体であって、その筆記体７はノックキャップ４を介してノック部材１３を押圧前進させることにより軸体Ａの先端から出没が可能なものとなっている。又、符号１１は、後方軸筒１の後端に取り付けたれたクリップであって、そのクリップ１１の前端にノック部材１３を係止させることによって前記筆記体７の突出状態を維持している。そして、そのクリップ１１の後部には押圧駒１３が固定されており、その押圧駒１２を押圧することによって前記ノック部材１３とクリップ１１前端との係止を解除し得るようになっている。即ち、この押圧駒１３を押圧することによって前記筆記体７を軸体Ａ内に収納することができるようになっている。
【図面の簡単な説明】
【００１２】
【図１】本発明の外観斜視図である（グリップを回転変形させた状態）。
【図２】本発明の縦半断面図である（グリップを回転させない状態）。
【図３】グリップの半断面図である。
【図４】図２におけるＡ−Ａ断面矢視図である。
【図５】要部分解斜視図である。
【図６】変形例を示す要部分解斜視図である。
【符号の説明】
【００１３】
１    後方軸筒
１ａ  前端面
２    グリップ
２ａ  前方独立穴
２ｂ  後方独立穴
２ｃ  前方係止段部
２ｄ  後方係止段部
２ｅ  縮径部
３    先部材
３ａ  係止面
４    ノックキャップ
５    前方軸筒
５ａ  前方突起
５ｂ  前方係止面
５ｃ  突起
６    中方軸筒
６ａ  後方突起
６ｂ  後方係止面
６ｃ  溝
７    筆記体
１０  弾発部材
１１  クリップ
１２  押圧駒
１３  出没機構
【図１】
2005335340.tif 000003
【図２】
2005335340.tif 000004
【図３】
2005335340.tif 000005
【図４】
2005335340.tif 000006
【図５】
2005335340.tif 000007
【図６】
2005335340.tif 000008